(57)【要約】【課題】ＩＣチップが破損しているかどうかやＩＣチップとアンテナとの接続が断線しているかどうかを確実に検知する。【解決手段】２つの導体部１２０ａ，１２０ｂからなるアンテナ１２０と、２つの導体部１２０ａ，１２０ｂの間に接続され、アンテナ１２０にて生じた電流が供給されることにより非接触状態にて情報の書き込み及び／または読み出しが可能なＩＣチップ１１０と、２つの導体部１２０ａ，１２０ｂの間にてＩＣチップ１１０と直列に接続され、アンテナ１２０にて生じた電流が供給されることにより発光する発光素子部１４０とを有し、２つの導体部１２０ａ，１２０ｂが、ＩＣチップ１１０及び発光素子部１４０を介して接続された長さが電波に共振する長さであり、かつ、発光素子部１４０側となる導体部１２０ｂの発光素子部１４０との接続端から該接続端に対向する端部までの長さが電波に共振しない長さである。【選択図】図１
2008276372.tif 000002
【特許請求の範囲】
【請求項１】
２つの導体部からなるアンテナと、前記２つの導体部の間に接続され、情報の書き込み及び／または読み出しが可能なＩＣチップとを有し、受信した電波に共振することによって前記アンテナにて生じた電流が前記ＩＣチップに供給されることにより、前記ＩＣチップに対して非接触状態にて情報の書き込み及び／または読み出しが行われるＲＦＩＤメディアにおいて、
前記２つの導体部の間にて前記ＩＣチップと直列に接続され、前記電波に共振することによって前記アンテナにて生じた電流が供給されることにより駆動する報知手段を有し、
前記２つの導体部は、前記ＩＣチップ及び前記報知手段を介して接続された長さが前記電波に共振する長さであり、かつ、前記報知手段側となる導体部の前記報知手段との接続端から該接続端に対向する端部までの長さが前記電波に共振しない長さであることを特徴とするＲＦＩＤメディア。
【発明の詳細な説明】
【技術分野】
【０００１】
本発明は、非接触状態にて情報の書き込みや読み出しが可能なＩＣチップを有してなるＲＦＩＤメディアに関し、特に、ＩＣチップが破損したりＩＣチップとアンテナとの接続が断線したりする等の不具合を検知する技術に関する。
【背景技術】
【０００２】
昨今、情報化社会の進展に伴って、情報をカードに記録し、該カードを用いた情報管理や決済等が行われている。また、商品等に貼付されるラベルやタグに情報を記録し、このラベルやタグを用いての商品等の管理も行われている。
【０００３】
このようなカードやラベル、あるいはタグを用いた情報管理においては、カードやラベル、あるいはタグに対して非接触状態にて情報の書き込みや読み出しを行うことが可能なＩＣチップが搭載された非接触型ＩＣカードや非接触型ＩＣラベル、あるいは非接触型ＩＣタグがその優れた利便性から急速な普及が進みつつある。
【０００４】
非接触状態にて情報の書き込みや読み出しが可能な非接触型ＩＣカードや非接触型ＩＣラベル、非接触型ＩＣタグにおいては、近年、小型化及び通信可能距離を確保するために、マイクロ波帯を利用して通信を行う微細なＩＣチップが用いられることが多くなってきている。
【０００５】
このような微細なＩＣチップを用いた場合、ＩＣチップに導電性のアンテナを接続することにより、ＩＣチップに対して情報の書き込みや読み出しが行われることになる。
【０００６】
図４は、マイクロ波帯を利用して通信を行うＩＣチップが搭載された非接触型ＩＣタグの一例を示す図である。
【０００７】
本構成例は図４に示すように、樹脂や紙等からなるベース基材２３０上に、互いに直列に並ぶように所定の間隔を有して形成された２つの帯状の導体部２２０ａ，２２０ｂからなるアンテナ２２０が形成されており、この２つの導体部２２０ａ，２２０ｂの一端に接続されるように、非接触状態にて情報の書き込み及び読み出しが可能なＩＣチップ２１０が搭載されて構成されている。
【０００８】
上記のように構成された非接触型ＩＣタグ２００においては、外部に設けられた情報書込／読出装置（不図示）に近接させることにより、情報書込／読出装置からの電波に共振してアンテナ２２０に電流が流れ、この電流がＩＣチップ２１０に供給され、それにより、非接触状態において、情報書込／読出装置からＩＣチップ２１０に情報が書き込まれたり、ＩＣチップ２１０に書き込まれた情報が情報書込／読出装置にて読み出されたりする。このように情報書込／読出装置にてＩＣチップ２１０に対して情報の書き込みや読み出しを行うためには、アンテナ２２０の長さを、ＩＣチップ２１０に対して情報の書き込みや読み出しを行う周波数に応じて設定しておくとともに、ＩＣチップ２１０とアンテナ２２０とのインピーダンス整合をとっておく必要がある。
【０００９】
このような非接触型ＩＣタグ２００は、製造段階においてＩＣチップ２１０が正常に動作するかどうかが検査される。また、製造後においても、ＩＣチップ２１０が破損していないかどうかやＩＣチップ２１０とアンテナ２２０との接続が断線していないかどうかを検査することで、非接触型ＩＣタグ２００を用いたアプリケーションの信頼性を向上させることができる。
【００１０】
このような検査において、ＩＣチップ２１０が破損したりＩＣチップ２１０とアンテナ２２０との接続が断線したりした場合は、情報の書き込みや読み出しができなくなる。ところが、上述したように、図４に示したような非接触型ＩＣタグ２００においては、アンテナ２２０の長さや、ＩＣチップ２１０とアンテナ部２２０とのインピーダンス整合がとられているかどうかによっても、情報の書き込みや読み出しができなくなる。そのため、ＩＣチップ２１０が破損しているかどうかやＩＣチップ２１０とアンテナ２２０との接続が断線しているかどうかを検査する場合に、情報書込／読出装置を用いて情報の書き込みや読み出しを行うだけでは、ＩＣチップ２１０が破損しているかどうかやＩＣチップ２１０とアンテナ２２０との接続が断線しているかどうかを判断することができるとは言い難い。
【００１１】
ここで、外部から加わる衝撃を感知する衝撃感知センサを備えた非接触データキャリア装置が特許文献１に記載されている。この非接触型データキャリア装置においては、衝撃によって断線する配線を有する衝撃感知センサを備え、この配線の両端部の電位を測定してＩＣチップ内に記憶しておくことにより、衝撃が加わったかどうかの情報を保持しておくことができる。
【００１２】
ところが、上述したような衝撃感知センサを用いた場合においては、外部からの衝撃が加わったかどうかを確認することができるものの、その衝撃でＩＣチップが破損しているかどうかを認識することはできない。また、衝撃が加わったかどうかを確認する場合、ＩＣチップ内に記憶された情報を読み出すことになるため、ＩＣチップに対する情報の読み出し処理を行うことになってしまい、ＩＣチップが破損している場合、その旨を検知する目的としては利用することができない。
【００１３】
そこで、ＬＥＤ等を用いた発光素子回路をＩＣチップと直列にアンテナに接続し、この発光素子回路の発光状態を用いて、ＩＣチップが破損しているかどうかやＩＣチップとアンテナとの接続が断線しているかどうかを判断することが考えられる。
【００１４】
図５は、発光素子回路を用いて不具合を検出可能な非接触型ＩＣタグの一例を示す図である。
【００１５】
本構成例は図５に示すように、樹脂や紙等からなるベース基材３３０上に、互いに同一長さを有して直列に並ぶように形成された２つの帯状の導体部３２０ａ，３２０ｂからなるアンテナ３２０が形成されており、導体部３２０ａの一端に接続されるように、非接触状態にて情報の書き込み及び読み出しが可能なＩＣチップ３１０が搭載され、また、導体部３２０ｂの一端に接続されるように、アンテナ３２０に流れる電流によって点灯するＬＥＤを有する発光素子部３４０が搭載されている。なお、ＩＣチップ３１０と発光素子部３４０とは、接続部３２１を介して互いに接続されている。また、２つの導体部３２０ａ，３２０ｂがＩＣチップ３１０及び発光素子部３４０を介して接続されたアンテナ３２０の長さは、情報の書き込み及び読み出しに用いる周波数とベース基材３３０の比透磁率及び比誘電率とから求まる波長λの１／２となっている。
【００１６】
以下に、上記のように構成された非接触型ＩＣタグ３００について、ＩＣチップ３１０が破損した場合の動作について説明する。
【００１７】
図６は、図５に示した非接触型ＩＣタグ３００においてＩＣチップ３１０が破損した場合の発光素子部３４０の動作を説明するための図であり、（ａ）はＩＣチップ３１０が破損していない場合のアンテナ３２０の接続状態を示す図、（ｂ）はＩＣチップ３１０が破損している場合のアンテナ３２０の接続状態を示す図である。
【００１８】
図５に示した非接触型ＩＣタグ３００においてＩＣチップ３１０が破損していない場合は図６（ａ）に示すように、アンテナ３２０を構成する導体部３２０ａと導体部３２０ｂとがＩＣチップ３１０、発光素子部３４０及び接続部３２１を介して互いに接続された状態となっており、２つの導体部３２０ａ，３２０ｂがＩＣチップ３１０及び発光素子部３４０を介して接続されたアンテナ３２０の長さは、上述したように、情報の書き込み及び読み出しに用いる周波数とベース基材３３０の比透磁率及び比誘電率とから求まる波長λの１／２となっている。そのため、この状態で、ＩＣチップ３１０に対して情報の書き込みや読み出しを行う情報書込／読出装置に近接させると、アンテナ３２０において、情報書込／読出装置からの情報の書き込みや読み出しを行うための周波数を有する電波に共振して電流が流れ、この電流が発光素子部３４０に供給されて発光素子部３４０が点灯する。
【００１９】
一方、図５に示した非接触型ＩＣタグ３００において、ＩＣチップ３１０に内蔵された回路部が断線する等してＩＣチップ３１０が破損している場合は図６（ｂ）に示すように、アンテナ３２０を構成する導体部３２０ａと導体部３２０ｂとがＩＣチップ３１０内の回路部にて断線した状態となる。そのため、アンテナ３２０が、共振点における周波数がとなって共振するダイポールアンテナとして機能しなくなり、アンテナ３２０には電流が流れない。それにより、ＩＣチップ３１０に内蔵された回路部が断線する等してＩＣチップ３１０が破損している場合は、アンテナ３２０には電流が生じず、発光素子部３４０が点灯しない。
【００２０】
このように、ＩＣチップ３１０が破損していない場合は、ＩＣチップ３１０に対して情報の書き込みや読み出しを行う情報書込／読出装置に近接させると、情報書込／読出装置からの情報の書き込みや読み出しを行うための周波数を有する電波にアンテナ３２０が共振してアンテナ３２０に電流が流れ、この電流によって発光素子部３４０が点灯し、また、ＩＣチップ３１０内の回路部が断線する等、ＩＣチップ３１０が破損している場合は、情報書込／読出装置に近接させても、情報書込／読出装置からの情報の書き込みや読み出しを行うための周波数を有する電波にアンテナ３２０が共振せず、発光素子部３４０に電流が供給されずに発光素子部３４０が点灯しないので、発光素子部３４０が点灯するかどうかによって、ＩＣチップ３１０が破損しているかどうかを検知することができる。
【特許文献１】特開２００２−１５０２４９号公報
【発明の開示】
【発明が解決しようとする課題】
【００２１】
しかしながら、図５に示したものにおいては、アンテナ３２０を構成する導体部３２０ａ，３２０ｂが同一長さを有するものであるため、アンテナ３２０の長さが、情報の書き込み及び読み出しに用いる周波数とベース基材３３０の比透磁率及び比誘電率とから求まる波長λの１／２となっている場合、導体部３２０ａ，３２０ｂの長さがそれぞれ、情報の書き込み及び読み出しに用いる周波数とベース基材３３０の比透磁率及び比誘電率とから求まる波長λの１／４となることになる。そのため、図６（ｂ）に示したように、アンテナ２２０を構成する導体部３２０ａと導体部３２０ｂとがＩＣチップ３１０内の回路部にて断線した状態となっている場合であっても、ＩＣチップ３１０に対して情報の書き込みや読み出しを行う情報書込／読出装置に近接させると、発光素子部３４０に接続された導体部３２０ｂがモノポールアンテナとして機能し、導体部３２０ｂに電流が流れ、この電流が発光素子部３４０に供給されて発光素子部３４０が点灯してしまう。
【００２２】
そのため、ＩＣチップが破損しているかどうかやＩＣチップとアンテナとの接続が断線しているかどうかを正しく判断することができないという問題点がある。
【００２３】
本発明は、上述したような従来の技術が有する問題点に鑑みてなされたものであって、ＩＣチップが破損しているかどうかやＩＣチップとアンテナとの接続が断線しているかどうかを確実に検知することができるＲＦＩＤメディアを提供することを目的とする。
【課題を解決するための手段】
【００２４】
上記目的を達成するために本発明は、
２つの導体部からなるアンテナと、前記２つの導体部の間に接続され、情報の書き込み及び／または読み出しが可能なＩＣチップとを有し、受信した電波に共振することによって前記アンテナにて生じた電流が前記ＩＣチップに供給されることにより、前記ＩＣチップに対して非接触状態にて情報の書き込み及び／または読み出しが行われるＲＦＩＤメディアにおいて、
前記２つの導体部の間にて前記ＩＣチップと直列に接続され、前記電波に共振することによって前記アンテナにて生じた電流が供給されることにより駆動する報知手段を有し、
前記２つの導体部は、前記ＩＣチップ及び前記報知手段を介して接続された長さが前記電波に共振する長さであり、かつ、前記報知手段側となる導体部の前記報知手段との接続端から該接続端に対向する端部までの長さが前記電波に共振しない長さであることを特徴とする。
【００２５】
上記のように構成された本発明においては、ＩＣチップが破損したりＩＣチップとアンテナとの接続が断線したりしていない場合は、ＩＣチップに接続された２つの導体部からなるアンテナが、２つの導体部がＩＣチップ及び報知手段を介して接続された状態となっており、ＩＣチップ及び報知手段を介して接続された長さが、受信した電波に共振する長さであるため、受信した電波に共振することによりアンテナに電流が生じてこの電流がＩＣチップに供給され、それにより、ＩＣチップに対して非接触状態にて情報の書き込みや読み出しが行われる。この際、２つの導体部の間にはＩＣチップと直列に報知手段が接続されており、この報知手段にもアンテナに生じた電流が供給され、報知手段が駆動する。一方、ＩＣチップが破損したりＩＣチップとアンテナとの接続が断線したりしている場合は、アンテナを構成する２つの導体部がＩＣチップにて断線した状態となる。この際、報知手段には、２つの導体部のうち一方の導体部が接続された状態となるが、この導体部の報知手段との接続端から接続端に対向する端部までの長さが電波に共振しない長さであるため、この状態においては、報知手段に接続された導体部には電流が生じず、報知手段が駆動しない。
【００２６】
このように、ＩＣチップが破損したりＩＣチップとアンテナとの接続が断線したりしていない場合は、アンテナが受信する電波に共振することにより生じる電流によって報知手段が駆動し、また、ＩＣチップが破損したりＩＣチップとアンテナとの接続が断線したりしている場合は、アンテナ及びアンテナを構成する導体部が受信する電波に共振しないことで報知手段が駆動しないことにより、この報知手段を用いて、ＩＣチップが破損しているかどうかやＩＣチップとアンテナとの接続が断線しているかどうかが検知されることになる。
【発明の効果】
【００２７】
以上説明したように本発明においては、ＩＣチップが破損したりＩＣチップとアンテナとの接続が断線したりしていない場合は、アンテナが受信する電波に共振することにより生じる電流によって報知手段を駆動させ、また、ＩＣチップが破損したりＩＣチップとアンテナとの接続が断線したりしている場合は、アンテナ及びアンテナを構成する導体部が受信する電波に共振しないことで報知手段を駆動させない構成とすることにより、この報知手段を用いて、ＩＣチップが破損しているかどうかやＩＣチップとアンテナとの接続が断線しているかどうかを確実に検知することができる。
【発明を実施するための最良の形態】
【００２８】
以下に、本発明の実施の形態について図面を参照して説明する。
【００２９】
図１は、本発明のＲＦＩＤメディアの実施の一形態を示す図であり、（ａ）は上面図、（ｂ）は（ａ）に示した発光素子部１４０の内部構成を示す回路図である。
【００３０】
本形態は図１（ａ）に示すように、樹脂や紙等からなるベース基材１３０上に、２つの導体部１２０ａ，１２０ｂからなるアンテナ１２０が形成されるとともに、２つの導体部１２０ａ，１２０ｂの間に、ＩＣチップ１１０と報知手段である発光素子部１４０とが互いに直列に接続されて構成されている。
【００３１】
導体部１２０ａ，１２０ｂはそれぞれ、一端部から放射状に広がるボウタイアンテナ形状を有している。導体部１２０ａはその一端部にＩＣチップ１１０が接続され、また、導体部１２０ｂはその一端部に発光素子部１４０が接続され、ＩＣチップ１１０と発光素子部１４０とが接続部１２１となる配線を介して接続されている。これにより、２つの導体部１２０ａ，１２０ｂが、ＩＣチップ１１０及び発光素子部１４０を介して接続された状態となっている。
【００３２】
ＩＣチップ１１０は、内部に情報の書き込み及び読み出しが可能なメモリや制御回路等の回路部（不図示）を有し、この回路部を挟んで２つの接続端子（不図示）が設けられており、この２つの接続端子の一方が導体部１２０ａと接続され、他方が接続部１２１と接続されている。そして、アンテナ１２０に生じた電流が回路部に供給されることにより、非接触状態にて情報が書き込まれたり読み出されたりする。
【００３３】
発光素子部１４０は図１（ｂ）に示すように、ブリッジ部１４２を構成する４つのダイオード１４２ａ〜１４２ｄと、その他の２つのダイオード１４４ａ，１４４ｂと、３つのコンデンサ１４３ａ〜１４３ｃと、ＬＥＤ１４１とから構成されており、ダイオード１４２ａ〜１４２ｄ，１４４ａ，１４４ｂとコンデンサ１４３ａ〜１４３ｃとによって整流回路が構成されている。そして、２つの外部接続端子１４５のうち一方が導体部１２０ｂに接続され、他方が接続部１２１に接続されている。２つの導体部１２０ａ，１２０ｂからなるアンテナ１２０には、外部に設けられた情報書込／読出装置に非接触型ＩＣタグ１００が近接した場合に交流電流が流れるが、この交流電流は、コンデンサ１４３ａ〜１４３ｃ及びダイオード１４２ａ〜１４２ｄ，１４４ａ，１４４ｂからなる整流回路によって直流電流に変換され、ＬＥＤ１４１に供給される。ＬＥＤ１４１は、供給された直流電流によって点灯する。
【００３４】
ここで、導体部１２０ａ，１２０ｂの長さについて説明する。
【００３５】
図２は、図１に示した非接触型ＩＣタグ１００の周波数特性を説明するための図であり、ＩＣチップ１１０への情報の書き込み及び読み出しに用いる周波数に対する非接触型ＩＣタグ１００のリターンロスを示す。
【００３６】
図１に示した非接触型ＩＣタグ１００においては、図２に示すように、情報の書き込み及び読み出しに用いる周波数によってリターンロスが変化するため、リターンロスが最も低くなるアンテナ１２０における共振点であるピークポイントＡにおける周波数を、情報の書き込み及び読み出しに用いる周波数ｆaに設定する必要がある。ここで、導体部１２０ａ，１２０ｂにおいては、ＩＣチップ１１０及び発光素子部１４０を介して接続された長さが、情報の書き込み及び読み出しに用いる周波数ｆaとベース基材１３０の比透磁率及び比誘電率とから求まる波長λの１／４の倍数である場合に、その共振点における周波数がｆaとなって共振するダイポールアンテナとして機能し、ＩＣチップ１１０に対する情報の書き込みや読み出しが可能となる。なお、接続部１２１の長さは、導体部１２０ａ，１２０ｂの長さと比べて無視できる程度のものである。これは、アンテナ１２０が、導体１２０ａ，１２０ｂの互いに対向する端部が給電点となるように設計されており、この点にて最大電流が得られるためであり、この給電点のできるだけ近傍にＩＣチップ１１０とともに発光素子部１４０を配置することにより、アンテナ１２０にて生じた電流によって発光素子部１４０内のＬＥＤ１４１を点灯しやすくすることができる。
【００３７】
そのため、アンテナ１２０の図中左右方向の長さ、すなわち、２つの導体部１２０ａ，１２０ｂがＩＣチップ１１０及び発光素子部１４０を介して接続された長さは、情報の書き込み及び読み出しに用いる周波数ｆaとベース基材１３０の比透磁率及び比誘電率とから求まる波長λの１／４となっている。
【００３８】
また、導体部１２０ａ，１２０ｂは、ＩＣチップ１１０及び発光素子部１４０を介してその形状が左右非対称となっている。そして、２つの導体部１２０ａ，１２０ｂのうち、発光素子部１４０に接続された導体部１２０ｂは、発光素子部１４０の接続端からこの接続端に対向する端部までの長さが、情報の書き込み及び読み出しに用いる周波数ｆaとベース基材１３０の比透磁率及び比誘電率とから求まる波長λの１／２n（ｎは自然数）にはなっていない。そのため、２つの導体部１２０ａ，１２０ｂのうち、ＩＣチップ１１０に接続された導体部１２０ａにおいても、ＩＣチップ１１０の接続端からこの接続端に対向する端部までの長さが、情報の書き込み及び読み出しに用いる周波数ｆaとベース基材１３０の比透磁率及び比誘電率とから求まる波長λの１／２n（ｎは自然数）にはなっていない。
【００３９】
なお、本形態にて示した導体部１２０ａ，１２０ｂは、それぞれボウタイアンテナ形状となっており、導体部１２０ａにおいては、ＩＣチップ１１０との接続点から図中Ａ点までの長さｘ1と、ＩＣチップ１１０との接続点から図中Ｂ点までの長さｘ2とが互いに異なっているが、長さｘ2〜ｘ1までの間に、情報の書き込み及び読み出しに用いる周波数ｆaとベース基材１３０の比透磁率及び比誘電率とから求まる波長λの１／２n（ｎは自然数）が存在しないようになっている。また、導体部１２０ｂにおいても同様に、発光素子部１４０との接続点から図中Ｃ点までの長さｙ1と、発光素子部１４０との接続点から図中Ｄ点までの長さｙ2とが互いに異なっているが、長さｙ2〜ｙ1までの間に、情報の書き込み及び読み出しに用いる周波数ｆaとベース基材１３０の比透磁率及び比誘電率とから求まる波長λの１／２n（ｎは自然数）が存在しないようになっている。また、２つの導体部１２０ａ，１２０ｂがＩＣチップ１１０及び発光素子部１４０を介して接続された長さは、図中Ｂ点からＩＣチップ１１０及び発光素子部１４０を介して図中Ｄ点までの長さ（ｘ2＋ｙ2）が最も短く、図中Ａ点からＩＣチップ１１０及び発光素子部１４０を介して図中Ｃ点までの長さ（ｘ1＋ｙ1）が最も長くなっているが、この長さ（ｘ2＋ｙ2）〜（ｘ1＋ｙ1）までの間に、情報の書き込み及び読み出しに用いる周波数ｆaとベース基材１３０の比透磁率及び比誘電率とから求まる波長λの１／４が存在するようになっている。
【００４０】
上記のように構成された非接触型ＩＣタグ１００においては、外部に設けられた情報書込／読出装置（不図示）に近接させることにより、情報書込／読出装置からの周波数ｆaを有する電波に共振して２つの導体部１２０ａ，１２０ｂからなるアンテナ１２０に電流が流れ、この電流がＩＣチップ１１０に供給され、それにより、非接触状態において、情報書込／読出装置からＩＣチップ１１０に情報が書き込まれたり、ＩＣチップ１１０に書き込まれた情報が情報書込／読出装置にて読み出されたりする。またこの際、２つの導体部１２０ａ，１２０ｂの間にはＩＣチップ１１０と直列に発光素子部１４０が接続されており、この発光素子部１４０にもアンテナ１２０に生じた電流が供給され、発光素子部１４０が駆動してＬＥＤ１４１が点灯する。
【００４１】
以下に、上述した非接触型ＩＣタグ１００において、ＩＣチップ１１０が破損したりＩＣチップ１１０とアンテナ１２０との接続が断線したりしている場合の発光素子部１４０の動作について説明する。
【００４２】
図３は、図１に示した非接触型ＩＣタグ１００においてＩＣチップ１１０が破損したりＩＣチップ１１０とアンテナ１２０との接続が断線したりしている場合の発光素子部１４０の動作を説明するための図であり、（ａ）はＩＣチップ１１０が破損したりＩＣチップ１１０とアンテナ１２０との接続が断線したりしていない場合のアンテナ１２０の接続状態を示す図、（ｂ）はＩＣチップ１１０が破損したりＩＣチップ１１０とアンテナ１２０との接続が断線したりしている場合のアンテナ１２０の接続状態を示す図である。
【００４３】
図１に示した非接触型ＩＣタグ１００においてＩＣチップ１１０が破損したりＩＣチップ１１０とアンテナ１２０との接続が断線したりしていない場合は図３（ａ）に示すように、アンテナ１２０を構成する導体部１２０ａと導体部１２０ｂとがＩＣチップ１１０及び発光素子部１４０を介して互いに接続された状態となっており、２つの導体部１２０ａ，１２０ｂがＩＣチップ１１０及び発光素子部１４０を介して接続されたアンテナ１２０の長さは、上述したように、情報の書き込み及び読み出しに用いる周波数ｆaとベース基材１３０の比透磁率及び比誘電率とから求まる波長λの１／４の倍数となっている。そのため、この状態で、ＩＣチップ１１０に対して情報の書き込みや読み出しを行う情報書込／読出装置に近接させると、アンテナ１２０において、情報書込／読出装置からの情報の書き込みや読み出しを行うための周波数ｆaを有する電波に共振して電流が流れ、この電流が発光素子部１４０に供給されて発光素子部１４０内のＬＥＤ１４１が点灯する。
【００４４】
一方、図１に示した非接触型ＩＣタグ１００において、ＩＣチップ１１０が破損したりＩＣチップ１１０とアンテナ１２０との接続が断線したりしている場合は図３（ｂ）に示すように、アンテナ１２０を構成する導体部１２０ａと導体部１２０ｂとがＩＣチップ１１０が接続された点にて断線した状態となる。そのため、アンテナ１２０が、共振点における周波数がｆaとなって共振するダイポールアンテナとして機能しなくなり、この状態で、ＩＣチップ１１０に対して情報の書き込みや読み出しを行う情報書込／読出装置に近接させても、アンテナ１２０には電流が流れず、ＩＣチップ１１０に情報が書き込まれたり、ＩＣチップに１１０に書き込まれた情報が読み出されたりしなくなる。また、断線した２つの導体部１２０ａ，１２０ｂにおいても、上述したように、情報の書き込み及び読み出しに用いる周波数ｆaとベース基材１３０の比透磁率及び比誘電率とから求まる波長λの１／２n（ｎは自然数）にはなっていないため、それぞれ、その共振点における周波数がｆaとなって共振するモノポールアンテナとして機能せず、それにより、ＩＣチップ１１０に情報が書き込まれたり、ＩＣチップに１１０に書き込まれた情報が読み出されたりはせず、また、発光素子部１４０内のＬＥＤ１４１は点灯しない。
【００４５】
このように、ＩＣチップ１１０が破損したりＩＣチップ１１０とアンテナ１２０との接続が断線したりしていない場合は、ＩＣチップ１１０に対して情報の書き込みや読み出しを行う情報書込／読出装置に近接させると、情報書込／読出装置からの情報の書き込みや読み出しを行うための周波数ｆaを有する電波にアンテナ１２０が共振してアンテナ１２０に電流が流れ、この電流によって発光素子部１４０内のＬＥＤ１４１が点灯し、また、ＩＣチップ１１０が破損したりＩＣチップ１１０とアンテナ１２０との接続が断線したりしている場合は、情報書込／読出装置に近接させても、情報書込／読出装置からの情報の書き込みや読み出しを行うための周波数ｆaを有する電波にアンテナ１２０及びこれを構成する導体部１２０ｂが共振せず、発光素子部１４０に電流が供給されずに発光素子部１４０内のＬＥＤ１４１が点灯しないので、ＬＥＤ１４１が点灯するかどうかによって、ＩＣチップ１１０が破損したりＩＣチップ１１０とアンテナ１２０との接続が断線したりしているかどうかを検知することができる。
【００４６】
また、上述したように発光素子部１４０の起電力は、情報書込／読出装置からの電波にアンテナ１２０が共振することによりアンテナ１２０に生じる電流によるものであるため、発光素子部１４１内のＬＥＤ１４１を点灯させるための電池等の電源を非接触型ＩＣタグ１００に内蔵しておく必要がなく、電池切れ等のメンテナンスが不要となる。
【００４７】
なお、本形態においては、２つの導体部１２０ａ，１２０ｂがＩＣチップ１１０及び発光素子部１４０を介して接続された長さが、情報の書き込み及び読み出しに用いる周波数ｆaとベース基材１３０の比透磁率及び比誘電率とから求まる波長λの１／４となっているが、情報の書き込み及び読み出しに用いる周波数ｆaとベース基材１３０の比透磁率及び比誘電率とから求まる波長λの１／４の倍数であればよい。
【００４８】
また、本形態においては、ＩＣチップ１１０に対して情報の書き込みや読み出しが行われる際にその旨を報知する手段として、アンテナ１２０にて生じる電流によって点灯するＬＥＤ１４１を例に挙げて説明したが、アンテナ１２０にて生じる電流によって振動するバイブレータや、アンテナ１２０にて生じる電流によって音を発生させるブザー等を報知手段として用いることも考えられる。
【００４９】
また、アンテナ１２０を構成する２つの導体部１２０ａ，１２０ｂにおいては、その形状がボウタイアンテナの形状に限らず、その長さについて上述した条件を満たすものであれば直線状のものやメアンダ状のもの等であってもよい。
【００５０】
また、本形態においては、ＲＦＩＤメディアとして非接触型ＩＣタグを例に挙げて説明したが、本発明は、非接触型ＩＣカードや非接触型ＩＣラベルにも適用できることは言うまでもない。
【図面の簡単な説明】
【００５１】
【図１】本発明のＲＦＩＤメディアの実施の一形態を示す図であり、（ａ）は上面図、（ｂ）は（ａ）に示した発光素子部の内部構成を示す回路図である。
【図２】図１に示した非接触型ＩＣタグの周波数特性を説明するための図である。
【図３】図１に示した非接触型ＩＣタグにおいてＩＣチップが破損したりＩＣチップとアンテナとの接続が断線したりしている場合の発光素子部の動作を説明するための図であり、（ａ）はＩＣチップが破損したりＩＣチップとアンテナとの接続が断線したりしていない場合のアンテナの接続状態を示す図、（ｂ）はＩＣチップが破損したりＩＣチップとアンテナとの接続が断線したりしている場合のアンテナの接続状態を示す図である。
【図４】マイクロ波帯を利用して通信を行うＩＣチップが搭載された非接触型ＩＣタグの一例を示す図である。
【図５】発光素子回路を用いて不具合を検出可能な非接触型ＩＣタグの一例を示す図である。
【図６】図５に示した非接触型ＩＣタグにおいてＩＣチップが破損した場合の発光素子部の動作を説明するための図であり、（ａ）はＩＣチップが破損していない場合のアンテナの接続状態を示す図、（ｂ）はＩＣチップが破損している場合のアンテナの接続状態を示す図である。
【符号の説明】
【００５２】
１００    非接触型ＩＣタグ
１１０    ＩＣチップ
１２０    アンテナ
１２０ａ，１２０ｂ    導体部
１２１    接続部
１３０    ベース基材
１４０    発光素子部
１４１    ＬＥＤ
１４２    ブリッジ部
１４３ａ〜１４３ｃ    コンデンサ
１４２ａ〜１４２ｄ，１４４ａ，１４４ｂ    ダイオード
１４５    外部接続端子
【図１】
2008276372.tif 000003
【図２】
2008276372.tif 000004
【図３】
2008276372.tif 000005
【図４】
2008276372.tif 000006
【図５】
2008276372.tif 000007
【図６】
2008276372.tif 000008